(57)【要約】【課題】全体の小型化に適し、かつ、構成部品点数が比較的少とされる比較的簡単な構成をもって、電子機器本体に装着されたアタッチメントの電子機器本体との電気的接続が振動等によって断たれる事態を生じ難くすることができる接触接続装置を提供する。【解決手段】電子機器本体１１に設けられた本体側接続部１３とアタッチメント１４に設けられたアタッチメント側接続部１５とを含んで構成され、アタッチメント側接続部１５が導電性接触面部１６；１７を備えるとともに、本体側接続部１３が、各々が導電性板材に打抜き加工が施されて得られた打抜き形状を有する平板状部材とされ、夫々の板厚方向に配列配置されて相互隣接する２個の間に所定の間隔を形成する導電性コンタクト２３，２４を備え、導電性コンタクト２３，２４が、互いに異なる固有振動数を有したもとで、各々の板厚端面に設けられた接触部を導電性接触面部１６；１７に当接させる。【選択図】図１
2013143259.tif 000002
【特許請求の範囲】
【請求項１】
電子機器本体に設けられた第１の接続部と上記電子機器本体に装着されるアタッチメントに設けられて上記第１の接続部に接続される第２の接続部とを含んで構成され、
上記第１及び第２の接続部のうちの一方が導電性接触面部を備えるとともに、上記第１及び第２の接続部のうちの他方が、各々が導電性板材に打抜き加工が施されて得られた打抜き形状を有する平板状部材とされ、夫々の板厚方向に配列配置されて相互隣接する２個の間に所定の間隔を形成する複数の導電性コンタクトを備え、該複数の導電性コンタクトのうちの少なくとも一つが、上記打抜き形状を上記複数の導電性コンタクトのうちの他のものとは異にして該他のものとは異なる固有振動数を有したもとで、複数の導電性コンタクトが各々の板厚端面に設けられた接触部を上記導電性接触面部に当接させて、上記第１及び第２の接続部の相互接触接続状態を得ることを特徴とする接触接続装置。
【請求項２】
上記複数の導電性コンタクトの夫々が、弾性を具えており、上記導電性接触面部に該導電性接触面部を上記接触部が設けられた板厚端面によって押圧する弾性力を作用させることを特徴とする請求項１記載の接触接続装置。
【請求項３】
上記第１の接続部が回路基板に配され、該第１の接続部が備える上記複数の導電性コンタクトの夫々もしくは上記導電性接触面部が、上記回路基板に設けられた接続端子部に接続される接続端部を有することを特徴とする請求項１記載の接触接続装置。
【請求項４】
上記第１の接続部が、上記複数の導電性コンタクトと該複数の導電性コンタクトの夫々の大部分を収容するハウジングとを備え、上記複数の導電性コンタクトの夫々が有する上記接触部と上記接続端部とが、上記ハウジングの外部に導出されることを特徴とする請求項３記載の接触接続装置。
【請求項５】
上記導電性接触面部が、導電性板材によって構成された平板状接触部材が形成するものとされることを特徴とする請求項１記載の接触接続装置。
【請求項６】
上記複数の導電性コンタクトの夫々が屈曲帯状体とされ、該複数の導電性コンタクトのうちの少なくとも一つが、屈曲形状体を成す打抜き形状を上記複数の導電性コンタクトのうちの他のものとは異にすることを特徴とする請求項１記載の接触接続装置。
【発明の詳細な説明】
【技術分野】
【０００１】
本願の特許請求の範囲に記載された発明は、電子機器本体に特定のアタッチメントが装着されるにあたり、電子機器本体とアタッチメントとについての電気的相互接続状態を構築する接触接続装置に関する。
【背景技術】
【０００２】
携帯電話機の本体等の電子機器本体にバッテリパック等のアタッチメントを着脱可能に装着するにあたっては、アタッチメントを電子機器本体に機械的に取り付けるだけでなく、アタッチメントを電子機器本体に電気的に接続することが必要とされる。そのため、電子機器本体とアタッチメントとについての電気的相互接続をなすべく、電子機器本体に本体側接続部が設けられるとともにアタッチメントにアタッチメント側接続部が設けられて、本体側接続部にアタッチメント側接続部が電気的に接続される。
【０００３】
このような本体側接続部及びアタッチメント側接続部は、例えば、本体側接続部が外部に向かって突出する導電性コンタクトを備えるものとされ、また、アタッチメント側接続部が導電性接触面部を形成するコンタクト受部を備えるものとされる。そして、本体側接続部にアタッチメント側接続部が電気的に接続される際には、本体側接続部が備える導電性コンタクトが、アタッチメント側接続部が備えるコンタクト受部の導電性接触面部に当接する状態がとられ、それにより、導電性コンタクトとコンタクト受部の導電性接触面部とが相互接触接続状態におかれる。
【０００４】
電子機器本体にアタッチメントが装着され、本体側接続部が備える導電性コンタクトがアタッチメント側接続部が備えるコンタクト受部の導電性接触面部に当接して、導電性コンタクトとコンタクト受部の導電性接触面部とが相互接触接続状態におかれたもとで、電子機器本体もしくはアタッチメントまたは電子機器本体とアタッチメントとの両者に、外部からの衝撃もしくは振動が加えられると、斯かる衝撃もしくは振動により、コンタクト受部の導電性接触面部と導電性コンタクトとにおける相互接触接続状態が乱されて、アタッチメント側接続部の本体側接続部との電気的接続、即ち、アタッチメントの電子機器本体との電気的接続が断たれてしまう事態が生じる虞がある。特に、外部からの衝撃もしくは振動の振動数が、例えば、本体側接続部が備える導電性コンタクトの固有振動数に相当することになる場合には、導電性コンタクトが、共振を生じて比較的大なる振幅をもって振動し、それにより、コンタクト受部の導電性接触面部から離隔する状態を繰り返すことになり、その都度、アタッチメントの電子機器本体との電気的接続が断たれる事態がもたらされてしまう。
【０００５】
そのため、従来にあっては、電子機器本体にアタッチメントが装着されたもとで、電子機器本体もしくはアタッチメントまたは電子機器本体とアタッチメントとの両者に、外部からの衝撃もしくは振動が加えられても、アタッチメントの電子機器本体との電気的接続が断たれてしまう事態を生じ難くする工夫がなされている。このような工夫として、電子機器本体に設けられた本体側接続部が、各々がアタッチメントに設けられたアタッチメント側接続部が備えるコンタクト受部の導電性接触面部に当接する、複数の導電性コンタクトを備えるとともに、複数の導電性コンタクトの夫々が互いに異なる固有振動数を有するものとされ、それにより、電子機器本体にアタッチメントが装着されたもとで、電子機器本体もしくはアタッチメントまたは電子機器本体とアタッチメントとの両者に、外部からの衝撃もしくは振動が加えられた場合においても、少なくとも複数の導電性コンタクトのうちのいずれか一つが、コンタクト受部の導電性接触面部に当接する状態を維持するようにした接続機構が提案されている（例えば、特許文献１もしくは特許文献２参照。）。
【０００６】
特許文献１において提案されている接続機構にあっては、電子機器本体（電話機本体(2))に設けられた本体側接続部（コネクタユニット(10)）が、複数の導電性コンタクトを成すコンタクトピン(11)とコンタクトピン(12)との組を備えており、電子機器本体に装着されるアタッチメント（バッテリーパック(3))に設けられたアタッチメント側接続部が、導電性接触面部を形成するコンタクト受部を成すコンタクトプレート(3C)を備えている。アタッチメントが電子機器本体に装着されたときには、コンタクトプレート(3C)を備えたアタッチメント側接続部がコンタクトピン(11)とコンタクトピン(12)との組を備えた本体側接続部に対向配置される。
【０００７】
本体側接続部が備える組を成すコンタクトピン(11)及びコンタクトピン(12)は、互いに平行に伸びている。そして、コンタクトピン(11)は、アタッチメント側接続部が本体側接続部に対向配置されるときコンタクトプレート(3C)に対向することになるガイドスリーブ(14)に、それに沿って移動自在に収容されていて、同じくガイドスリーブ(14)に収容されたコイルバネ(S1)によって、コンタクトプレート(3C)に向かうことになる方向に付勢されている。また、コンタクトピン(12)は、アタッチメント側接続部が本体側接続部に対向配置されるときコンタクトプレート(3C)に対向することになるガイドスリーブ(15)に、それに沿って移動自在に収容されていて、同じくガイドスリーブ(15)に収容されたコイルバネ(S2)によって、コンタクトプレート(3C)に向かうことになる方向に付勢されている。
【０００８】
このようなもとで、コンタクトピン(11)とコンタクトピン(12)とは、各々の質量もしくは各々を付勢するコイルバネ(S1)あるいは(S2)のバネ定数またはそれらの両者が選定されて、互いに異なる固有振動数を有するものとされている。そして、アタッチメント側接続部が本体側接続部に対向配置されたもとで、本体側接続部におけるコンタクトピン(11)とコンタクトピン(12)との組が、アタッチメント側接続部におけるコンタクトプレート(3C)の導電性接触面部に当接し、アタッチメント側接続部が本体側接続部との電気的接続状態におかれる。
【０００９】
このようにして、特許文献１において提案されている接続機構においては、互いに異なる固有振動数を有したコンタクトピン(11)とコンタクトピン(12)とがコンタクトプレート(3C)の導電性接触面部に当接するものとされることにより、電子機器本体にアタッチメントが装着されたもとで、電子機器本体もしくはアタッチメントまたは電子機器本体とアタッチメントとの両者に、外部からの衝撃もしくは振動が加えられた場合、少なくともコンタクトピン(11)とコンタクトピン(12)とのうちのいずれかが、コンタクトプレート(3C)の導電性接触面部に当接した状態を維持することが期待される。
【００１０】
また、特許文献２において提案されている接続機構にあっては、電子機器本体（カードコネクタ(1))に設けられた本体側接続部（カード収容部(7))が、複数のコンタクト端子(40)を備えており、電子機器本体に装着されるアタッチメント(IC(メモリ) カード(20)) に設けられたアタッチメント側接続部が、導電性接触面部を形成するコンタクト受部を成す接触パッド(25)を備えている。アタッチメントが電子機器本体に装着されたときには、アタッチメント側接続部が本体側接続部に対向配置される。
【００１１】
本体側接続部が備える配列配置された複数のコンタクト端子(40)の夫々は、金属板材によって形成されていて、２個の所定の幅を持った板状バネ片として分割形成された分割バネ片ユニット(43a) と分割バネ片ユニット(43b) とを、各々の幅方向に配列されて互いに平行に伸びるものとして有しており、これらの分割バネ片ユニット(43a) 及び分割バネ片ユニット(43b) が、２個の導電性コンタクトを成している。各々が板状バネ片とされた分割バネ片ユニット(43a) 及び分割バネ片ユニット(43b) にあっては、分割バネ片ユニット(43a) における所定の幅を持った板面の一部が接点部(44a) とされており、また、分割バネ片ユニット(43b) における所定の幅を持った板面の一部が接点部(44b) とされている。
【００１２】
これら２個の導電性コンタクトを成す分割バネ片ユニット(43a) 及び分割バネ片ユニット(43b) は、各々の幅寸法もしくは長さ寸法が互いに異なるように選定されていて、それにより、互いに異なる固有振動数を有するものとされている。そして、アタッチメント側接続部が本体側接続部に対向配置されたもとで、本体側接続部における各コンタクト端子(40)が有する２個の導電性コンタクトを成す分割バネ片ユニット(43a) 及び分割バネ片ユニット(43b) が、それらの所定の幅を持った板面の一部とされた接点部(44a) 及び接点部(44b) を、アタッチメント側接続部におけるコンタクト受部を成す接触パッド(25)の導電性接触面部に当接させ、それによりアタッチメント側接続部が本体側接続部との電気的接続状態におかれる。
【００１３】
このようにして、特許文献２において提案されている接続機構においては、互いに異なる固有振動数を有した分割バネ片ユニット(43a) と分割バネ片ユニット(43b) とが接触パッド(25)の導電性接触面部に当接するものとされることにより、電子機器本体にアタッチメントが装着されたもとで、電子機器本体もしくはアタッチメントまたは電子機器本体とアタッチメントとの両者に外部からの衝撃もしくは振動が加えられた場合、少なくとも分割バネ片ユニット(43a) と分割バネ片ユニット(43b) とのうちのいずれかが、接触パッド(25)の導電性接触面部に当接した状態を維持することが期待される。
【先行技術文献】
【特許文献】
【００１４】
【特許文献１】特開平１１−１６８５３６号公報（段落０００６〜００１０，００１２〜００１７，図１〜５）
【特許文献２】特開２００２−１００４４０号公報（段落００２９〜００３６，００４４，００４５，００４８〜００５０，図１〜３，６，８，９）
【発明の概要】
【発明が解決しようとする課題】
【００１５】
上述のような、電子機器本体にアタッチメントが装着されたもとで、電子機器本体もしくはアタッチメントまたは電子機器本体とアタッチメントとの両者に外部からの衝撃もしくは振動が加えられても、アタッチメントの電子機器本体との電気的接続が断たれてしまう事態を生じ難くするものとして従来提案されている、特許文献１に記載された接続機構にあっては、本体側接続部が、各々が導電性コンタクトを成す、互いに異なる固有振動数を有した２個の組を作るコンタクトピンを備えているが、これらのコンタクトピンは、ガイドスリーブにそれに沿って移動自在に収容されたもとで、同じくガイドスリーブに収容されたコイルバネによって付勢されるものとされる。従って、複数のコンタクトピンを含んで構成される本体側接続部が、構成部品点数が多く、構成が複雑なものとなってしまうという欠点がある。それに加えて、各コンタクトピンを収容したガイドスリーブの設置に比較的大なる占有スペースが要されるので、本体側接続部の全体の小型化に支障がきたされることになるという不都合も見られ、特許文献１に記載された接続機構は、小型化には不向きである。
【００１６】
また、同じく、電子機器本体にアタッチメントが装着されたもとで、電子機器本体もしくはアタッチメントまたは電子機器本体とアタッチメントとの両者に外部からの衝撃もしくは振動が加えられても、アタッチメントの電子機器本体との電気的接続が断たれてしまう事態を生じ難くするものとして従来提案されている、特許文献２に記載された接続機構にあっては、本体側接続部が、配列配置された複数のコンタクト端子を備え、これら複数のコンタクト端子の夫々が、各々が導電性コンタクトを成す、互いに異なる固有振動数を有して、各々の幅方向に配列されて互いに平行に伸びる２個の分割バネ片ユニットを形成しているが、これらの分割バネ片ユニットの夫々は、それにおける所定の幅を持った板面の一部とされた接点部が形成されていて、その接点部を、アタッチメント側接続部におけるコンタクト受部を成す接触パッドの導電性接触面部に当接させるものとされている。従って、各々の幅方向に配列されて互いに平行に伸びる２個の分割バネ片ユニットを形成する各導電性コンタクトは、その幅方向の占有スペースを比較的大とするものとなる。特に、分割バネ片ユニットのバネ定数の増大が望まれる場合には、各分割バネ片ユニットの幅寸法を増大させることになるが、それにより、各導電性コンタクトの幅方向の占有スペースは一段と大とされてしまう。その結果、斯かる導電性コンタクトの複数個が配列配置される本体側接続部は、その小型化に支障がきたされることになるという不都合を伴い、それゆえ、特許文献２に記載された接続機構も、小型化には不向きである。
【００１７】
斯かる点に鑑み、本願の特許請求の範囲に記載された発明は、電子機器本体にアタッチメントが装着される際におけるアタッチメントと電子機器本体との電気的相互接続状態を構築する接続機構を成すものであって、全体の小型化に適し、かつ、構成部品点数が比較的少とされる比較的簡単な構成をもって、電子機器本体にアタッチメントが装着されたもとで、電子機器本体もしくはアタッチメントまたは電子機器本体とアタッチメントとの両者に外部からの衝撃もしくは振動が加えられても、アタッチメントの電子機器本体との電気的接続が断たれてしまう事態を生じ難くすることができる接触接続装置を提供する。
【課題を解決するための手段】
【００１８】
本願の特許請求の範囲における請求項１から請求項６までのいずれかに記載された発明（以下、本発明という。）に係る接触接続装置は、電子機器本体に設けられた第１の接続部と電子機器本体に装着されるアタッチメントに設けられて第１の接続部に接続される第２の接続部とを含んで構成され、第１及び第２の接続部のうちの一方が導電性接触面部を備えるとともに、第１及び第２の接続部のうちの他方が、各々が導電性板材に打抜き加工が施されて得られた打抜き形状を有する平板状部材とされ、夫々の板厚方向にて配列配置されて相互隣接する２個の間に所定の間隔を形成する複数の導電性コンタクトを備え、複数の導電性コンタクトのうちの少なくとも一つが、打抜き形状を複数の導電性コンタクトのうちの他のものとは異にして当該他のものとは異なる固有振動数を有したもとで、複数の導電性コンタクトが各々の板厚端面に設けられた接触部を導電性接触面部に当接させて、第１の接続部と第２の接続部との相互接触接続状態を得ることを特徴とするものとされる。
【００１９】
特に、本発明のうちの請求項２に記載されたものに係る接触接続装置にあっては、複数の導電性コンタクトの夫々が、弾性を具えており、導電性接触面部にそれを接触部が設けられた板厚端面によって押圧する弾性力を作用させる。
【００２０】
上述のような本発明に係る接触接続装置にあっては、携帯電話機等の電子機器本体に設けられた第１の接続部と電子機器本体に装着されるバッテリーパック等のアタッチメントに設けられた第２の接続部とのうちの一方、例えば、アタッチメント側接続部を成す第２の接続部が導電性接触面部を備えるとともに、第１の接続部と第２の接続部とのうちの他方、例えば、本体側接続部を成す第１の接続部が複数の導電性コンタクトを備える。そして、複数の導電性コンタクトは、各々が導電性板材に打抜き加工が施されて得られた打抜き形状を有する平板状部材とされ、夫々の板厚方向に配列配置されて相互隣接する２個の間に所定の間隔を形成するものとされて、第１の接続部を形成する。また、複数の導電性コンタクトは、そのうちの少なくとも一つが、打抜き形状を複数の導電性コンタクトのうちの他のものとは異にして当該他のものとは異なる固有振動数を有するものとされたもとで、各々の板厚端面に設けられた接触部を第２の接続部が備える導電性接触面部に当接させ、それにより、第１及び第２の接続部の相互接触接続状態を得るものとされる。
【００２１】
特に、本発明のうちの請求項２に記載されたものに係る接触接続装置にあっては、例えば、第１の接続部が備える、導電性板材に打抜き加工が施されて得られた打抜き形状を有する平板状部材とされる複数の導電性コンタクトの夫々が、弾性を具えており、その板厚端面に設けられた接触部を、例えば、第２の接続部が備える導電性接触面部に当接させるとき、導電性接触面部にそれを接触部が設けられた板厚端面によって押圧する弾性力を作用させる。
【発明の効果】
【００２２】
本発明に係る接触接続装置にあっては、一方が導電性接触面部を備えるとともに他方が導電性接触面部に当接する複数の導電性コンタクトを備えるものとされる、電子機器本体に設けられた第１の接続部とアタッチメントに設けられた第２の接続部とを含んで構成され、複数の導電性コンタクトは、各々が導電性板材に打抜き加工が施されて得られた打抜き形状を有する平板状部材とされ、夫々の板厚方向に配列配置されて相互隣接する２個の間に所定の間隔を形成するものとされて、第１の接続部または第２の接続部を構成する。従って、本発明に係る接触接続装置は、構成部品点数が比較的少とされる比較的簡単な構成を有するものとすることができる。
【００２３】
そして、斯かるもとで、第１の接続部または第２の接続部を構成する複数の導電性コンタクトは、各々が導電性板材に打抜き加工が施されて得られた打抜き形状を有する平板状部材とされるとともに、夫々の板厚方向に配列配置されて相互隣接する２個の間に所定の間隔を形成するものとされるので、複数の導電性コンタクトの配列方向における占有スペースは比較的小なるものとされ、複数の導電性コンタクトが構成する第１の接続部または第２の接続部は、比較的小型なものとされる。従って、本発明に係る接触接続装置は、全体の小型化に適したものとなる。
【００２４】
さらに、本発明に係る接触接続装置にあっては、複数の導電性コンタクトが、そのうちの少なくとも一つが、打抜き形状を複数の導電性コンタクトのうちの他のものとは異にして当該他のものとは異なる固有振動数を有するものとされたもとで、各々の板厚端面に設けられた接触部を導電性接触面部に当接させて、第１及び第２の接続部の相互接触接続状態を得るものとされる。それにより、電子機器本体にアタッチメントが装着されて、複数の導電性コンタクトが各々の板厚端面に設けられた接触部を導電性接触面部に当接させたもとで、電子機器本体もしくはアタッチメントまたは電子機器本体とアタッチメントとの両者に外部からの衝撃もしくは振動が加えられても、各々の板厚端面に設けられた接触部を導電性接触面部に当接させた複数の導電性コンタクトにあっては、それらのうちの少なくともいずれか一つは、その板厚端面に設けられた接触部を導電性接触面部に当接させた状態を維持し、第１の接続部と第２の接続部との相互接触接続状態を継続させるものとなる。その結果、第２の接続部が設けられたアタッチメントの第１の接続部が設けられた電子機器本体との電気的接続が断たれてしまう事態が生じ難いものとされる。
【００２５】
これよりして、本発明に係る接触接続装置によれば、電子機器本体にアタッチメントが装着される際におけるアタッチメントと電子機器本体との電気的相互接続状態を構築するにあたり、全体の小型化に適し、かつ、構成部品点数が比較的少とされる比較的簡単な構成をもって、電子機器本体にアタッチメントが装着されたもとで、電子機器本体もしくはアタッチメントまたは電子機器本体とアタッチメントとの両者に外部からの衝撃もしくは振動が加えられても、アタッチメントの電子機器本体との電気的接続が断たれてしまう事態を生じ難くすることができることになる。
【００２６】
また、本発明のうちの請求項２に記載されたものに係る接触接続装置によれば、第１の接続部または第２の接続部が備える、導電性板材に打抜き加工が施されて得られた打抜き形状を有する平板状部材とされる複数の導電性コンタクトの夫々が、弾性を具えており、その板厚端面に設けられた接触部を、第２の接続部または第１の接続部が備える導電性接触面部に当接させるとき、導電性接触面部にそれを接触部が設けられた板厚端面によって押圧する弾性力を作用させるので、第１の接続部と第２の接続部との相互接触接続状態が、より確実かつ安定に得られることになる。
【図面の簡単な説明】
【００２７】
【図１】本発明に係る接触接続装置の一例が適用された電子機器本体の部分及び電子機器本体に対するアタッチメントを示す斜視図である。
【図２】本発明に係る接触接続装置の一例を構成する本体側接続部（第１の接続部）を示すその正面側から見た斜視図である。
【図３】本発明に係る接触接続装置の一例を構成する本体側接続部（第１の接続部）を示すその背面側から見た斜視図である。
【図４】本発明に係る接触接続装置の一例を構成する本体側接続部（第１の接続部）を示す平面図である。
【図５】図４における V−V 線断面を示す断面図である。
【図６】本発明に係る接触接続装置の一例を構成する本体側接続部（第１の接続部）に備えられる二種の導電性コンタクトのうちの一方を示す斜視図である。
【図７】図４における VII−VII 線断面を示す断面図である。
【図８】本発明に係る接触接続装置の一例を構成する本体側接続部（第１の接続部）に備えられる二種の導電性コンタクトのうちの他方を示す斜視図である。
【図９】本発明に係る接触接続装置の一例が適用された電子機器本体の部分及び電子機器本体に対するアタッチメントにおいて、アタッチメントが電子機器本体への装着の途中にある状態を示す断面図である。
【図１０】本発明に係る接触接続装置の一例が適用された電子機器本体の部分及び電子機器本体に対するアタッチメントにおいて、アタッチメントの電子機器本体への装着が完了した状態を示す断面図である。
【発明を実施するための形態】
【００２８】
本発明を実施するための形態は、以下に述べられる本発明についての実施例をもって説明される。
【実施例】
【００２９】
本発明に係る接触接続装置の一例は、携帯電話機等の電子機器の本体とされる電子機器本体に設けられた本体側接続部と電子機器本体に装着されるバッテリパック等のアタッチメントに設けられるアタッチメント側接続部とを含んで構成される。図１は、本発明に係る接触接続装置の一例が適用された電子機器本体の部分及び電子機器本体に対するアタッチメントを示す。
【００３０】
図１において、例えば、携帯電話機とされる電子機器の本体である電子機器本体１１はは、種々の電子部品が取り付けられる回路基板１２を備えており、回路基板１２には本体側接続部１３が取り付けられていて、電子機器本体１１に本体側接続部（第１の接続部）１３が設けられていることになる。また、電子機器本体１１には、例えば、バッテリパックとされるアタッチメント１４が、回路基板１２上に配される状態をもって装着されている。
【００３１】
アタッチメント１４には、平面状部を成すものとして配されて本体側接続部１３に接続されるアタッチメント側接続部（第２の接続部）１５が設けられている。そして、アタッチメント側接続部１５は、本体側接続部１３に対向するものとされた一対の導電性接触面部１６及び１７を備えている。これら導電性接触面部１６及び１７の夫々は、導電性板材によって構成された平板状接触部材１８（図９及び図１０）が形成するものとされる。
【００３２】
図２，図３及び図４は、電子機器本体１１に設けられた本体側接続部１３を示す。本体側接続部１３は、合成樹脂等の絶縁材料によって形成されて回路基板１２上に配されるハウジング２０を備えている。ハウジング２０には、一対の固定金属部材２１及び２２が設けられるとともに、第１の導電性コンタクト２３と第２の導電性コンタクト２４との組が二つ設けられている。二つの組を成す２個の第１の導電性コンタクト２３と２個の第２の導電性コンタクト２４とは、合計４個の導電性コンタクトとして配列配置されている。従って、本体側接続部１３は２個の第１の導電性コンタクト２３と２個の第２の導電性コンタクト２４とされる配列配置された複数の導電性コンタクトを備えていることになる。
【００３３】
ハウジング２０に設けられた固定金属部材２１は、図１に示されるように、回路基板１２に設けられた取付け部２６に、例えば、半田付けされて固定される。また、図示は省略されているが、ハウジング２０に設けられた固定金属部材２２も、回路基板１２に設けられた取付け部２６と同様な取付け部に、例えば、半田付けされて固定される。それにより、ハウジング２０が回路基板１２に固定され、本体側接続部１３の全体が回路基板１２に取り付けられる。
【００３４】
２個の第１の導電性コンタクト２３及び２個の第２の導電性コンタクト２４の夫々は、例えば、弾性を有した導電性板材に打抜き加工が施されて得られた、打抜き形状を有する平板状部材とされる。そして、二つの組の夫々を成す第１の導電性コンタクト２３と第２の導電性コンタクト２４とは、各々の板厚方向に配列配置されていて、相互間には所定の間隔が形成されている。
【００３５】
図４における V−V 線断面を示す図５に示され、さらには、図６に単体で示されるように、打抜き形状を有する平板状部材とされた第１の導電性コンタクト２３は、ハウジング２０の正面側端面部２０ａから背面側端面部２０ｂへと伸びる屈曲帯状体を成すものとされている。そして、その一端部分において、板厚端面に接触部２７が設けられるとともに、その他端部分に、ハウジング２０に対する圧入係止部２８と回路基板１２に対する接続端部２９とが設けられている。第１の導電性コンタクト２３の一端部分に設けられた接触部２７は、ハウジング２０の正面側端面部２０ａからハウジング２０の外部に導出され、また、第１の導電性コンタクト２３の他端部分に設けられた接続端部２９は、ハウジング２０の背面側端面部２０ｂからハウジング２０の外部に導出されており、第１の導電性コンタクト２３の他端部分に設けられた圧入係止部２８がハウジング２０に圧入されて、第１の導電性コンタクト２３の一端部分と他端部分とを結ぶ屈曲部分はハウジング２０内に収容されている。
【００３６】
圧入係止部２８がハウジング２０に圧入されてハウジング２０に固定された第１の導電性コンタクト２３は、それを構成する導電性板材の弾性により、接触部２７を弾性変位させることができるものとされる。
【００３７】
また、図４における VII−VII 線断面を示す図７に示され、さらには、図８に単体で示されるように、打抜き形状を有する平板状部材とされた第２の導電性コンタクト２４も、ハウジング２０の正面側端面部２０ａから背面側端面部２０ｂへと伸びる屈曲帯状体とされている。そして、その一端部分において、板厚端面に接触部３０が設けられるとともに、その他端部分に、ハウジング２０に対する圧入係止部３１と回路基板１２に対する接続端部３２とが設けられている。第２の導電性コンタクト２４の一端部分に設けられた接触部３０は、ハウジング２０の正面側端面部２０ａからハウジング２０の外部に導出され、また、第２の導電性コンタクト２４の他端部分に設けられた接続端部３２は、ハウジング２０の背面側端面部２０ｂからハウジング２０の外部に導出されており、第２の導電性コンタクト２４の他端部分に設けられた圧入係止部３１がハウジング２０に圧入されて、第２の導電性コンタクト２４の一端部分と他端部分とを結ぶ屈曲部分はハウジング２０内に収容されている。
【００３８】
圧入係止部３１がハウジング２０に圧入されてハウジング２０に固定された第２の導電性コンタクト２４も、それを構成する導電性板材の弾性により、接触部３０を弾性変位させることができるものとされる。
【００３９】
上述のような第１の導電性コンタクト２３と第２の導電性コンタクト２４とは、各々の屈曲形状体を成す打抜き形状が互いに相違しており、それにより、互いに異なる固有振動数を有するものとされている。従って、二つの組の夫々を成す第１の導電性コンタクト２３と第２の導電性コンタクト２４とは、互いに異なる固有振動数を有したもとで、ハウジング２０に各々の板厚方向に配列配置されて設けられていることになる。
【００４０】
図１に示されるように、二つの組のうちの一方を成す第１の導電性コンタクト２３及び第２の導電性コンタクト２４に夫々設けられた接続端部２９及び接続端部３２は、ハウジング２０が回路基板１２に固定されたもとにおいて、回路基板１２に設けられた接続端子部３３に、例えば、半田付けによって接続される。また、二つの組のうちの他方を成す第１の導電性コンタクト２３及び第２の導電性コンタクト２４に夫々設けられた接続端部２９及び接続端部３２は、ハウジング２０が回路基板１２に固定されたもとにおいて、回路基板１２に設けられた接続端子部３４に、例えば、半田付けによって接続される。それにより、第１の導電性コンタクト２３及び第２の導電性コンタクト２４の夫々が、回路基板１２における回路構成部に電気的に接続される。
【００４１】
さらに、二つの組のうちの一方を成す第１の導電性コンタクト２３及び第２の導電性コンタクト２４に夫々設けられた接触部２７及び接触部３０は、ハウジング２０が回路基板１２に固定されて接続端部２９及び接続端部３２が回路基板１２に設けられた接続端子部３３に接続されたもとにおいて、電子機器本体１１に装着されたアタッチメント１４におけるアタッチメント側接続部１５に備えられた導電性接触面部１６に当接する状態をとる。同様に、二つの組のうちの他方を成す第１の導電性コンタクト２３及び第２の導電性コンタクト２４に夫々設けられた接触部２７及び接触部３０は、ハウジング２０が回路基板１２に固定されて接続端部２９及び接続端部３２が回路基板１２に設けられた接続端子部３４に接続されたもとにおいて、電子機器本体１１に装着されたアタッチメント１４におけるアタッチメント側接続部１５に備えられた導電性接触面部１７に当接する状態をとる。従って、第１の導電性コンタクト２３及び第２の導電性コンタクト２４は、夫々、接触部２７及び接触部３０が設けられた板厚端面をアタッチメント１４におけるアタッチメント側接続部１５に備えられた導電性接触面部１６及び１７に当接させることになる。
【００４２】
このようなもとで、本体側接続部１３が回路基板１２に取り付けられた電子機器本体１１にアタッチメント１４が装着されるときには、先ず、図９に示されるように、アタッチメント１４が、それに設けられたアタッチメント側接続部１５を本体側接続部１３におけるハウジング２０の正面側端面部２０ａに対向させて、回路基板１２に向けて押圧移動せしめられる状態におかれる。斯かる際、本体側接続部１３に備えられた二つの組の一方を成す第１の導電性コンタクト２３及び第２の導電性コンタクト２４が、各々における板厚端面に設けられた接触部２７及び接触部３０を、アタッチメント１４におけるアタッチメント側接続部１５に備えられた平板状接触部材１８が形成する導電性接触面部１６に当接させる。また、それとともに、図示は省略されているが、本体側接続部１３に備えられた二つの組の他方を成す第１の導電性コンタクト２３及び第２の導電性コンタクト２４が、各々における板厚端面に設けられた接触部２７及び接触部３０を、アタッチメント１４におけるアタッチメント側接続部１５に備えられた平板状接触部材１８が形成する導電性接触面部１７に当接させる。
【００４３】
その後、アタッチメント１４が、それにおけるアタッチメント側接続部１５に備えられた平板状接触部材１８が形成する導電性接触面部１６及び１７の夫々に、本体側接続部１３に備えられた第１の導電性コンタクト２３及び第２の導電性コンタクト２４の夫々における板厚端面に設けられた接触部２７及び接触部３０が当接するもとで、継続的に押圧移動せしめられて、図１０に示されるように、回路基板１２上に載置される状態をとるものとされる。その結果、アタッチメント１４の電子機器本体１１への装着が完了する。
【００４４】
このようにして、電子機器本体１１にアタッチメント１４が装着されたもとにおいては、本体側接続部１３に備えられた二つの組の一方を成す第１の導電性コンタクト２３及び第２の導電性コンタクト２４が、各々が具える弾性により、各々の板厚端面に設けられた接触部２７及び接触部３０を弾性変位させて、それらが当接する導電性接触面部１６に、接触部２７が設けられた板厚端面及び接触部３０が設けられた板厚端面による押圧力を作用させ、また、本体側接続部１３に備えられた二つの組の他方を成す第１の導電性コンタクト２３及び第２の導電性コンタクト２４が、各々が具える弾性により、各々の板厚端面に設けられた接触部２７及び接触部３０を弾性変位させて、それらが当接する導電性接触面部１７に、接触部２７が設けられた板厚端面及び接触部３０が設けられた板厚端面による押圧力を作用させる。それにより、第１の導電性コンタクト２３及び第２の導電性コンタクト２４を備えた本体側接続部１３と導電性接触面部１６及び導電性接触面部１７を備えたアタッチメント側接続部１５との相互接触接続状態が、より確実かつ安定に得られる。
【００４５】
そして、第１の導電性コンタクト２３及び第２の導電性コンタクト２４を備えた本体側接続部１３と導電性接触面部１６及び導電性接触面部１７を備えたアタッチメント側接続部１５との相互接触接続状態がとられたもとにあっては、アタッチメント１４が、アタッチメント側接続部１５が備える導電性接触面部１６及び導電性接触面部１７と本体側接続部１３が備える第１の導電性コンタクト２３及び第２の導電性コンタクト２４とを介して、回路基板１２における回路構成部に電気的に連結される。
【００４６】
斯かるもとで、アタッチメント側接続部１５が備える導電性接触面部１６及び導電性接触面部１７の夫々に接触部２７及び接触部３０を夫々当接させた第１の導電性コンタクト２３及び第２の導電性コンタクト２４は、各々の屈曲形状体を成す打抜き形状が互いに相違しており、それにより、互いに異なる固有振動数を有するものとされているので、電子機器本体１１もしくは電子機器本体１１に装着されたアタッチメント１４または電子機器本体１１とアタッチメント１４との両者に外部からの衝撃もしくは振動が加えられても、それらのうちの少なくともいずれか一つは、接触部２７または接触部３０を導電性接触面部１６または導電性接触面部１７に当接させた状態を維持し、第１の導電性コンタクト２３及び第２の導電性コンタクト２４を備えた本体側接続部１３と導電性接触面部１６及び導電性接触面部１７を備えたアタッチメント側接続部１５との相互接触接続状態を継続させるものとなる。その結果、アタッチメント側接続部１５が設けられたアタッチメント１４の本体側接続部１３が設けられた電子機器本体１１との電気的接続が断たれてしまう事態が生じ難いものとされる。
【００４７】
上述のような本発明に係る接触接続装置の一例にあっては、電子機器本体１１に設けられた、第１の導電性コンタクト２３及び第２の導電性コンタクト２４を備えた本体側接続部１３と、アタッチメント１４に設けられた、導電性接触面部１６及び導電性接触面部１７を備えたアタッチメント側接続部１５とを含んで構成され、第１の導電性コンタクト２３及び第２の導電性コンタクト２４は、各々が導電性板材に打抜き加工が施されて得られた打抜き形状を有する平板状部材とされ、夫々の板厚方向に配列配置されて相互隣接する２個の間に所定の間隔を形成するものとされて、本体側接続部１３を構成する。従って、上述の本発明に係る接触接続装置の一例は、構成部品点数が比較的少とされる比較的簡単な構成を有するものとすることができる。
【００４８】
そして、斯かるもとで、第１の導電性コンタクト２３及び第２の導電性コンタクト２４は、各々が導電性板材に打抜き加工が施されて得られた打抜き形状を有する平板状部材とされるとともに、夫々の板厚方向に配列配置されて相互隣接する２個の間に所定の間隔を形成するものとされるので、第１の導電性コンタクト２３及び第２の導電性コンタクト２４の配列方向における占有スペースは比較的小なるものとされ、第１の導電性コンタクト２３及び第２の導電性コンタクト２４が構成する本体側接続部１３は、比較的小型なものとされる。従って、上述の本発明に係る接触接続装置の一例は、全体の小型化に適したものとなる。
【００４９】
さらに、上述の本発明に係る接触接続装置の一例は、前述のように、第１の導電性コンタクト２３及び第２の導電性コンタクト２４が、互いに異なる固有振動数を有するものとされていることにより、電子機器本体１１もしくは電子機器本体１１に装着されたアタッチメント１４または電子機器本体１１とアタッチメント１４との両者に、外部からの衝撃もしくは振動が加えられても、アタッチメント側接続部１５が設けられたアタッチメント１４の本体側接続部１３が設けられた電子機器本体１１との電気的接続が断たれてしまう事態が生じ難いものとされる。
【００５０】
これよりして、上述の本発明に係る接触接続装置によれば、電子機器本体１１にアタッチメント１４が装着される際におけるアタッチメント１４と電子機器本体１１との電気的相互接続状態を構築するにあたり、全体の小型化に適し、かつ、構成部品点数が比較的少とされる比較的簡単な構成をもって、電子機器本体１１にアタッチメント１４が装着されたもとで、電子機器本体１１もしくは電子機器本体１１に装着されたアタッチメント１４または電子機器本体１１とアタッチメント１４との両者に、外部からの衝撃もしくは振動が加えられても、アタッチメント１４の電子機器本体１１との電気的接続が断たれてしまう事態を生じ難くすることができることになる。
【００５１】
なお、上述の例は、電子機器本体１１に設けられた本体側接続部１３が、第１の導電性コンタクト２３及び第２の導電性コンタクト２４を備え、アタッチメント１４に設けられたアタッチメント側接続部１５が、導電性接触面部１６及び導電性接触面部１７を備えたものとされているが、本発明に係る接触接続装置は、斯かる例に限られるものではなく、電子機器本体に設けられた本体側接続部が、導電性接触面部１６または導電性接触面部１７に相当する導電性接触面部を備え、電子機器本体に対するアタッチメントに設けられたアタッチメント側接続部が、第１の導電性コンタクト２３及び第２の導電性コンタクト２４に相当する互いに異なる固有振動数を有した複数の導電性コンタクトを有したものとされてもよい。
【００５２】
また、上述の例は、電子機器本体１１に設けられた本体側接続部１３が、二つの組を成す２個の第１の導電性コンタクト２３と２個の第２の導電性コンタクト２４を備え、アタッチメント１４に設けられたアタッチメント側接続部１５が、導電性接触面部１６と導電性接触面部１７とを備えたものとされているが、本発明に係る接触接続装置は、斯かる例に限られるものではなく、電子機器本体に設けられた本体側接続部及び電子機器本体に対するアタッチメントに設けられたアタッチメント側接続部のうちの一方が、例えば、導電性接触面部１６または導電性接触面部１７に相当する、少なくとも１個の導電性接触面部を備えるとともに、電子機器本体に設けられた本体側接続部及び電子機器本体に対するアタッチメントに設けられたアタッチメント側接続部のうちの他方が、例えば、第１の導電性コンタクト２３及び第２の導電性コンタクト２４に相当する、少なくとも一つが他のものとは異なる固有振動数を有した複数の導電性コンタクトを備えるものとされてもよい。
【産業上の利用可能性】
【００５３】
以上のような本発明に係る接触接続装置は、電子機器本体にアタッチメントが装着される際におけるアタッチメントと電子機器本体との電気的相互接続状態を構築する接続機構を成すものであって、全体の小型化に適し、かつ、構成部品点数が比較的少とされる比較的簡単な構成をもって、電子機器本体にアタッチメントが装着されたもとで、電子機器本体もしくはアタッチメントまたは電子機器本体とアタッチメントとの両者に、外部からの衝撃もしくは振動が加えられても、アタッチメントの電子機器本体との電気的接続が断たれてしまう事態を生じ難くすることができるものとして、様々な電子機器等に広く適用され得るものである。
【符号の説明】
【００５４】
１１・・・電子機器本体，  １２・・・回路基板，  １３・・・本体側接続部，  １４・・・アタッチメント，  １５・・・アタッチメント側接続部，  １６，１７・・・導電性接触面部，  １８・・・平板状接触部材，  ２０・・・ハウジング，  ２０ａ・・・正面側端面部，  ２０ｂ・・・背面側端面部，  ２１，２２・・・固定金属部材，  ２３・・・第１の導電性コンタクト，  ２４・・・第２の導電性コンタクト，  ２６・・・取付け部，  ２７，３０・・・接触部，  ２８，３１・・・圧入係止部，  ２９，３２・・・接続端部，  ３３，３４・・・接続端子部
【図１】
2013143259.tif 000003
【図２】
2013143259.tif 000004
【図３】
2013143259.tif 000005
【図４】
2013143259.tif 000006
【図５】
2013143259.tif 000007
【図６】
2013143259.tif 000008
【図７】
2013143259.tif 000009
【図８】
2013143259.tif 000010
【図９】
2013143259.tif 000011
【図１０】
2013143259.tif 000012